(57)【要約】【課題】写り具合のよい写真の選択を、迅速に、しかも簡単かつ容易に行なうことができる。【解決手段】写真撮影システム１は、画像を写真感光材料に記録する主カメラ２と、主カメラ２の視野の少なくとも一部を視野とするように画像を電気信号に変換する補助カメラ３と、主カメラ２の撮影の動作に同期して得られる静止画像の電気信号を補助カメラ３から取込んで記録する記録手段と、記録手段に記録された静止画像のうちで比較対象となる複数の静止画像を読み出す再生手段と、再生手段により読み出された複数の静止画像を表示する比較モニタ手段と、比較モニタ手段に表示された複数の静止画像から所望の１つの静止画像を選択して表示する選択モニタ手段とを備え、選択モニタ手段は、選択した静止画像を、選択前の複数の静止画像のほぼ中央の領域に表示する。【選択図】図１
2005043542.tif 000002
【特許請求の範囲】
【請求項１】
画像を写真感光材料に記録する主カメラと、
前記主カメラの視野の少なくとも一部を視野とするように画像を電気信号に変換する補助カメラと、
前記主カメラの撮影の動作に同期して得られる静止画像の電気信号を前記補助カメラから取込んで記録する記録手段と、
前記記録手段に記録された静止画像のうちで比較対象となる複数の静止画像を読み出す再生手段と、
前記再生手段により読み出された複数の静止画像を表示する比較モニタ手段と、
前記比較モニタ手段に表示された複数の静止画像から所望の１つの静止画像を選択して表示する選択モニタ手段とを備え、
前記選択モニタ手段は、選択した静止画像を、前記選択前の複数の静止画像のほぼ中央の領域に表示することを特徴とする写真撮影システム。
【請求項２】
画像を写真感光材料に記録する主カメラと、
前記主カメラの視野の少なくとも一部を視野とするように画像を電気信号に変換する補助カメラと、
前記主カメラの撮影の動作に同期して得られる静止画像の電気信号を前記補助カメラから取込んで記録する記録手段と、
前記記録手段に記録された静止画像のうちで比較対象となる複数の静止画像を読み出す再生手段と、
前記再生手段により読み出された複数の静止画像を表示する比較モニタ手段と、
前記比較モニタ手段に表示された複数の静止画像から所望の１つの静止画像を選択して表示する選択モニタ手段と、
前記選択後の静止画像を表示する確認画面を有する確認モニタ手段とを備えることを特徴とする写真撮影システム。
【請求項３】
画像を写真感光材料に記録する主カメラと、
前記主カメラの視野の少なくとも一部を視野とするように画像を電気信号に変換する補助カメラと、
前記主カメラの撮影の動作に同期して得られる静止画像の電気信号を前記補助カメラから取込んで記録する記録手段と、
前記記録手段に記録された静止画像のうちで比較対象となる複数の静止画像を読み出す再生手段と、
前記再生手段により読み出された複数の静止画像を表示する比較モニタ手段と、
前記比較モニタ手段に表示された複数の静止画像から所望の１つの静止画像を選択して表示する選択モニタ手段と、
前記選択後の静止画像を表示する確認画面を有する確認モニタ手段とを備え、
前記選択モニタ手段は、選択した静止画像を、前記選択前の複数の静止画像のほぼ中央の領域に表示することを特徴とする写真撮影システム。
【請求項４】
前記選択後の確認画面が、テンプレート画面及び／又は最終製品にはめ込んだ状態を示す製品画面であることを特徴とする請求項２または請求項３に記載の写真撮影システム。
【請求項５】
前記選択後の確認画面は、表示方向を単数方向と複数方向とに表示画面を変更可能であることを特徴とする請求項２または請求項３に記載の写真撮影システム。
【請求項６】
前記単数方向と前記複数方向との表示画面の変更は、画面の角度変化で行うことを特徴とする請求項５に記載の写真撮影システム。
【請求項７】
前記単数方向と前記複数方向との表示画面の変更は、画面の視野角調整で行うことを特徴とする請求項５に記載の写真撮影システム。
【発明の詳細な説明】
【０００１】
【発明が属する技術分野】
この発明は、例えば写真館、イベント会場等のスタジオにおいて写真感光材料を用いて被写体を撮影する際に用いる写真撮影システムに関するものである。
【０００２】
【従来の技術】
従来より、被写体について視覚的に識別できる画像を記録する技術として、被写体の画像を写真感光材料に記録する写真技術が知られ、この写真は電気信号などを介在させる他の画像記録技術に比較すると、解像力や粒状度において格段に優れることから、例えば写真館、イベント会場等のスタジオにおいて、記念撮影等に多く使用されている。
【０００３】
ところで、写真によって被写体を撮影すると、現像するまでの間は被写体の写り具合を知ることはできず、写り具合がわかるまでに時間がかかり、写真が気に入らなければ撮影をやり直すことになって多くの時間が無駄になるという問題がある。
【０００４】
このために、例えば、画像を写真感光材料に記録する主カメラと、主カメラの視野の少なくとも一部を視野とする画像を電気信号に変換する補助カメラと、主カメラのシャッタの開放に同期して補助カメラで得た静止画像を表示する表示手段とを備え、複数枚の写真を次々に撮影する場合にあっては写り具合のもっともよい写真を選択した後に焼付・現像を行うものがある（例えば、特許文献１、特許文献２）。
【０００５】
【特許文献１】
特開平６−２７３８４７号公報
【０００６】
【特許文献２】
特公平７−１１３７３３号公報
【０００７】
【発明が解決しようとする課題】
このように、複数枚の写真を次々に撮影する場合にあっては、単に複数枚の写真を並べて表示しているだけであるから、目視によって比較してどれがもっとも写り具合のよい写真かを判断することが困難である。
【０００８】
また、例えばイベント会場、テーマパーク会場等のスタジオにおいては混雑し、写真館のスタジオにおいても、七・五・三の祝い、学生の入学・卒業、成人式等の時期には特に混雑するために、写り具合のもっともよい写真の選択を迅速にすることができるようにする必要がある。
【０００９】
この発明は、かかる点に鑑みてなされたもので、写り具合のよい写真の選択を、迅速に、しかも簡単かつ容易に行なうことができる写真撮影システムを提供することを目的としている。
【００１０】
【課題を解決するための手段】
前記課題を解決し、かつ目的を達成するために、この発明は、以下のように構成した。
【００１１】
請求項１に記載の発明は、画像を写真感光材料に記録する主カメラと、
前記主カメラの視野の少なくとも一部を視野とするように画像を電気信号に変換する補助カメラと、
前記主カメラの撮影の動作に同期して得られる静止画像の電気信号を前記補助カメラから取込んで記録する記録手段と、
前記記録手段に記録された静止画像のうちで比較対象となる複数の静止画像を読み出す再生手段と、
前記再生手段により読み出された複数の静止画像を表示する比較モニタ手段と、
前記比較モニタ手段に表示された複数の静止画像から所望の１つの静止画像を選択して表示する選択モニタ手段とを備え、
前記選択モニタ手段は、選択した静止画像を、前記選択前の複数の静止画像のほぼ中央の領域に表示することを特徴とする写真撮影システムである。
【００１２】
この請求項１に記載の発明によれば、選択した静止画像を、選択前の複数の静止画像の例えば片側では離れた画像同士を比較することになり、比較が困難となる場合があるが、ほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００１３】
請求項２に記載の発明は、画像を写真感光材料に記録する主カメラと、
前記主カメラの視野の少なくとも一部を視野とするように画像を電気信号に変換する補助カメラと、
前記主カメラの撮影の動作に同期して得られる静止画像の電気信号を前記補助カメラから取込んで記録する記録手段と、
前記記録手段に記録された静止画像のうちで比較対象となる複数の静止画像を読み出す再生手段と、
前記再生手段により読み出された複数の静止画像を表示する比較モニタ手段と、
前記比較モニタ手段に表示された複数の静止画像から所望の１つの静止画像を選択して表示する選択モニタ手段と、
前記選択後の静止画像を表示する確認画面を有する確認モニタ手段とを備えることを特徴とする写真撮影システムである。
【００１４】
この請求項２に記載の発明によれば、選択後の静止画像を表示する確認画面を有することで、選んだ静止画像を確認画面に大きく表示したりでき、同じ静止画像を選んでしまったりするという間違いを防止することができ、選択時間の短縮となる。
【００１５】
請求項３に記載の発明は、画像を写真感光材料に記録する主カメラと、
前記主カメラの視野の少なくとも一部を視野とするように画像を電気信号に変換する補助カメラと、
前記主カメラの撮影の動作に同期して得られる静止画像の電気信号を前記補助カメラから取込んで記録する記録手段と、
前記記録手段に記録された静止画像のうちで比較対象となる複数の静止画像を読み出す再生手段と、
前記再生手段により読み出された複数の静止画像を表示する比較モニタ手段と、
前記比較モニタ手段に表示された複数の静止画像から所望の１つの静止画像を選択して表示する選択モニタ手段と、
前記選択後の静止画像を表示する確認画面を有する確認モニタ手段とを備え、
前記選択モニタ手段は、選択した静止画像を、前記選択前の複数の静止画像のほぼ中央の領域に表示することを特徴とする写真撮影システムである。
【００１６】
この請求項３に記載の発明によれば、選択後の静止画像を表示する確認画面を有することで、選んだ静止画像を確認画面に大きく表示したりでき、同じ静止画像を選んでしまったりするという間違いを防止することができ、選択時間の短縮となる。
【００１７】
また、選択した静止画像を、選択前の複数の静止画像の例えば片側では離れた画像同士を比較することになり、比較が困難となる場合があるが、ほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００１８】
請求項４に記載の発明は、前記選択後の確認画面が、テンプレート画面及び／又は最終製品にはめ込んだ状態を示す製品画面であることを特徴とする請求項２または請求項３に記載の写真撮影システムである。
【００１９】
この請求項４に記載の発明によれば、選択後の確認画面が、テンプレート画面及び／又は最終製品にはめ込んだ状態を示す製品画面であり、最終製品の仕上りをユーザがイメージすることができる。また、選択が容易で、かつ最終製品との差も少なくなるので、ユーザからの苦情が減る。
【００２０】
請求項５に記載の発明は、前記選択後の確認画面は、表示方向を単数方向と複数方向とに表示画面を変更可能であることを特徴とする請求項２または請求項３に記載の写真撮影システムである。
【００２１】
この請求項５に記載の発明によれば、選択後の確認画面を、単数のユーザと複数のユーザの方向に表示を変更することで、ユーザの回転率の変化に対応でき、ユーザからの注文増加に貢献できて収益が向上する。また、ユーザが自分で操作できるので選択効率が向上し、ユーザの回転率の向上、滞留時間減少となり、特に繁忙期に有効である。
【００２２】
請求項６に記載の発明は、前記単数方向と前記複数方向との表示画面の変更は、画面の角度変化で行うことを特徴とする請求項５に記載の写真撮影システムである。
【００２３】
この請求項６に記載の発明によれば、単数方向と複数方向との表示変更は、確認画面の角度変化で行うことで、簡単な構造である。
【００２４】
請求項７に記載の発明は、前記単数方向と前記複数方向との表示画面の変更は、画面の視野角調整で行うことを特徴とする請求項５に記載の写真撮影システムである。
【００２５】
この請求項７に記載の発明によれば、単数方向と複数方向との表示変更は、比較画面の視野角調整で行うことで、コンパクトで取扱が容易である。
【００２６】
【発明の実施の形態】
以下、この発明の写真撮影システムの実施の形態について説明するが、この発明は、この実施の形態に限定されない。また、この発明の実施の形態は、発明の最も好ましい形態を示すものであり、この発明の用語はこれに限定されない。
【００２７】
図１は写真撮影システムの概略構成図、図２はモニタ画像表示を示す図、図３は操作専用画面を示す図、図４はモニタ操作画面を示す図、図５は写真撮影システムのフローチャートである。この実施の形態の写真撮影システム１は、例えば写真館、イベント会場等のスタジオにおいて写真感光材料を用いて被写体を撮影する際に用いるものである。
【００２８】
この写真撮影システム１は、写真フィルム、写真乾板等の写真感光材料に画像を記録する主カメラ２と、主カメラ２の視野の少なくとも一部を視野とする補助カメラ３とを備える。主カメラ２と補助カメラ３とは、被写体４に対して主カメラ２と補助カメラ３との間で大きな視差が生じないように、主カメラ２と補助カメラ３とのアングルはほぼ等しくなる。
【００２９】
主カメラ２は、シャッタ２１の開放時に写真感光材料２２に画像が記録される。補助カメラ３は、ＣＣＤのような撮像素子３１を備え、被写体４の画像を電気信号に変換する。この電気信号は主カメラ２が備えるシャッタ２１の開放に同期して取り出される。即ち、主カメラ２のシャッタ２１の開放時に写真感光材料２２に画像が記録されると同時に、補助カメラ３では同じ被写体４に関する１画面分の電気信号を取り出す。
【００３０】
補助カメラ３は、１画面分の電気信号を取り出す構成として、撮像素子３１から出力される電気信号の通るゲート部３２が設けられ、ゲート部３２は同期部３３から出力される開放信号が入力されている間に開放される。同期部３３は、主カメラ２でのシャッタ２１の開放に同期して１画面分の電気信号が通過する期間に開放信号を発生する。
【００３１】
このゲート部３２と同期部３３は、市販されている電子スチルカメラや一駒撮影が可能なビデオカメラに内蔵されたものを用いることができ、主カメラ２のシャッタ２１の開放に同期して１画面分の電気信号を取り出すことができれば補助カメラ２に用いることができる。
【００３２】
主カメラ２として用いることができる通常のカメラは、シャッタ２１の開放に同調する接点として、フラッシュ同調接点２３やモータドライブ同調接点を備え、補助カメラ３として用いる電子スチルカメラは、レリーズ用の端子を備えているから、主カメラ２に設けた接点と補助カメラ３に設けた端子とをケーブルを用いて接続すれば、シャッタ２１の開放に同期して１画面分の電気信号を取り出す構成は容易に実現することができる。なお、撮影の動作に同期して撮影するには、フラッシュ同調接点２３を記録のトリガとしてもよいし、フラッシュ２４の光を検出する素子（図示せず）の信号をトリガとしてもよい。
【００３３】
補助カメラ３により撮影された画像は、記録手段としてのディスクドライブ５０によってフレキシブルディスクに同数の画像が記録され、フレキシブルディスクに記録された画像は撮影の終了後に、制御装置５に備えられる再生手段であるディスクドライブ５２によって読み出される。また、記録手段としてのディスクドライブ５０によってハードディスクに記録し、ハードディスクに記録された画像は撮影の終了後に、制御装置５に配信して再生手段であるディスクドライブ５２によって読み出されるようにしてもよい。
【００３４】
補助カメラ３により撮影された画像は、ディスクドライブ５０に記録されると同時に表示手段としてのモニタ装置７に表示される。モニタ装置７には、カラー表示の可能なものが望ましく、通常はＣＲＴが用いられるが、液晶表示器や投影形のモニタ装置７であってもよい。モニタ装置７では、主カメラ２で撮影した画像をシャッタ２１の開放後に一定時間表示し、補助カメラ３により撮影した画像を表示する時間を一定時間に制限していることによって、主カメラ２で複数枚の写真を次々に撮影したときに、各画像を順次表示することができる。従って、モニタ装置７の画面を見れば主カメラ２で撮影した被写体４の表情をすぐに確認することができる。
【００３５】
制御装置５には操作装置６及びモニタ装置８が接続され、操作装置６の操作によって画像がモニタ装置８に表示される。制御装置５には、ディスクドライブ５２、３個の画面分割部（いわゆるマルチコントローラ）５３ａ１，５３ａ２，５３ｂ、セレクタスイッチ５４を備える。主カメラ２で複数枚の写真を撮影したとき、撮影の終了後に再生手段であるディスクドライブ５２によって読み出される。即ち、ディスクドライブ５２は、記録手段であるフレキシブルディスク、或はハードディスクに記録された静止画像のうちで比較対象となる複数の静止画像を読み出す。
【００３６】
ディスクドライブ５２で読み出した画像は、３個の画面分割部５３ａ１，５３ａ２，５３ｂを通してモニタ装置８に表示される。モニタ装置８には、比較モニタ手段となるモニタ部８ａ１，８ａ２、選択モニタ手段となるモニタ部８ｂを備え、モニタ部８ａ１，８ａ２，８ｂは、比較的大きな画面を有し、カラー表示の可能なものが望ましいから通常はＣＲＴを用いる。
【００３７】
また、モニタ部８ａ１，８ａ２に表示される複数の画像の中から所望の画像のみを選択してモニタ部８ｂに表示させる選択手段としてのセレクタスイッチ５４が画面分割部５３ａ１，５３ａ２，５３ｂに接続される。
【００３８】
なお、制御装置５は単体の装置以外に、パソコンにビデオボードを装着し、制御用ソフトウェアをインストールしたものでもよい。モニタ装置７，８は、液晶、ＰＤＰ、有機ＥＬなど他の表示装置でもよい。
【００３９】
例えば、図２に示すように、被写体４が８種類の写真を撮影するものとすると、この場合、画面分割部５３ａ１，５３ａ２は、比較モニタ手段となるモニタ部８ａ１，８ａ２の画面をそれぞれ等しい大きさを有した４個の領域に分割して表示する。
【００４０】
このように、比較モニタ手段であるモニタ部８ａ１，８ａ２は、再生手段により読み出された複数の静止画像を表示する。モニタ部８ａ１では、４枚の画像１〜４が１枚ずつ順に表示され、モニタ部８ａ２では、他の４枚の画像５〜８が１枚ずつ順に表示される。
【００４１】
ここにおいて、比較モニタ手段であるモニタ部８ａ１，８ａ２の各領域に表示されている画像１〜８を適宜選択し、モニタ部８ａ１，８ａ２に表示させるようにセレクタスイッチ５４を構成する。
【００４２】
この実施の形態では、選択モニタ手段となるモニタ部８ｂが比較モニタ手段となるモニタ部８ａ１，８ａ２の間に配置され、モニタ部８ｂにより選択した静止画像を、選択前のモニタ部８ａ１，８ａ２のほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００４３】
次に、操作装置６による操作を図３及び図４に基づいて説明する。図３に示す操作基本画面６０では、操作パターン１〜３が行なわれる。
【００４４】
操作パターン１は、ファイル読み込みにて、サムネイル画面６０ａに画像を表示し、サムネイル画面６０ａをインデックスとして、常時表示を行う。スルー画面６０ｂで気に入った画像をキャプチャ画面６０ｃへ貼り付ける（繰り返し）。全ての駒を見終わった後、キャプチャ画面６０ｃを表示し、確認、オーダーし終了する。
【００４５】
操作パターン２は、フィイル読み込みで、サムネイル画面６０ａに画像を表示し、サムネイル画面６０ａで、ユーザの画像を確認後、画面切替えを行い、例えばサムネイル画面６０ａ：スルー画面６０ｂ：キャプチャ画面６０ｃを４：１：４の画面構成にする。スルー画面６０ｂでユーザが選び、気に入った画像をキャプチャ画面６０ｃへ貼り付ける（繰り返し）。全ての駒を見終わった後、キャプチャ画面６０ｃを表示し、確認、オーダーし終了する。
【００４６】
操作パターン３は、フィイル読み込みで、サムネイル画面６０ａに画像を表示し、サムネイル画面６０ａで、ユーザの画像を確認後、画面切替えを行い、例えばサムネイル画面６０ａ：スルー画面６０ｂ：キャプチャ画面６０ｃを４：１：４の画面構成にする。そして、１シーンに対して３〜１０ショットほど撮影した先頭の駒にカーソルを合わせ展開し、左右４分割画面に同一シーンを番号順に並べ、１駒選択してキャプチャ（繰り返し）、画面切替えし、キャプチャし、全ての駒を見終わった後、キャプチャ画面６０ｃを表示し、確認、オーダーし終了する。
【００４７】
図４は、この実施の形態を示すモニタ操作画面６１であり、このモニタ操作画面６１は、操作基本画面６０の画面切替ボタン６０ｄで切り替わる。このモニタ操作画面６１は、比較モニタ画面６１ａ１，６１ａ２が図２に示す比較モニタ手段となるモニタ部８ａ１，８ａ２の画面に対応し、選択モニタ画面６１ｂが選択モニタ手段となるモニタ部８ｂの画面に対応し、モニタ操作画面６１の操作によってモニタ部８ａ１，８ａ２及びモニタ部８ｂが表示される。
【００４８】
この実施の形態では、表示ボタン６１ｅ，６１ｆの操作で比較モニタ画面６１ａ１，６１ａ２にはそれぞれ４枚の画像が表示される。それぞれファイル選択ボタン６１ｘ，６１ｙを操作すると、比較モニタ画面６１ａ１，６１ａ２に表示された複数の静止画像から所望の１つの静止画像を選択し、選択モニタ画面６１ｂに表示する。この選択モニタ画面６１ｂは、比較モニタ画面６１ａ１，６１ａ２の間に配置され、選択した静止画像を、選択前の複数の静止画像のほぼ中央の領域に表示し、画像位置調整ボタン６１ｇ、ズームボタン６１ｈ、画像回転ボタン６１ｉの操作で選択した静止画像の修正を行ない、確認ボタン６１ｊ、オーダボタン６１ｋの操作で注文する。また、このモニタ操作画面６１は、再調整ボタン６１ｌ、キャンセルボタン６１ｍを有する。
【００４９】
この実施の形態では、選択モニタ画面６１ｂにより比較モニタ画面６１ａ１，６１ａ２のほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００５０】
図５は、写真撮影システムのフローチャートであり、モニタ操作画面６１において操作を開始し、ｎ＝１として比較モニタ画面６１ａ１，６１ａ２の画面の順番を先頭を１番目と決め（ステップａ１）、それぞれファイル選択ボタン６１ｘ，６１ｙの操作して第ｎ画面の選択を行ない（ステップａ２）、選択モニタ画面６１ｂに表示する。選択モニタ画面６１ｂに表示された選択画面の拡大表示（拡大表示の拡大、回転表示が可能）を行なう（ステップａ３）。
【００５１】
選択モニタ画面６１ｂに表示された選択画面を注文する場合には（ステップａ４）、確認ボタン６１ｊ、オーダボタン６１ｋの操作で選択画面の予約画面を表示し（ステップａ５）、ステップａ６へ移行する。また、ステップａ４において、選択モニタ画面６１ｂに表示された選択画面を注文しない場合もステップａ６へ移行する。
【００５２】
ステップａ６において、最終画面ならば終了し、最終画面でないならばステップａ７へ移行してステップａ２へ戻り、ステップａ２から同様に最終画面まで繰り返して選択画面を注文する。
【００５３】
この図１乃至図５の実施の形態では、選択モニタ手段であるモニタ部８ｂの左右に比較モニタ手段であるモニタ部８ａ１，８ａ２を配置しているが、選択モニタ手段であるモニタ部８ｂの選択モニタ画面６１ｂの上下に比較モニタ手段であるモニタ部８ａ１，８ａ２の比較モニタ画面６１ａ１，６１ａ２を配置してもよく、さらに上下、左右に配置してもよく、さらに上下、左右、左右斜めで周囲に配置してもよい。
【００５４】
また、この実施の形態では、比較モニタ手段であるモニタ部８ａ１，８ａ２に対応する比較モニタ画面６１ａ１，６１ａ２に、それぞれ４枚の画像１〜４が１枚ずつ順に表示され、このモニタ部８ａ１，８ａ２に対応する比較モニタ画面６１ａ１，６１ａ２から選択した静止画像を選択モニタ手段であるモニタ部８ｂの選択モニタ画面６１ｂに拡大して表示しているが、図６の実施の形態では、選択モニタ手段であるモニタ部８ｂと、このモニタ部８ｂに対応する選択モニタ画面６１ｂの周囲に比較モニタ手段であるモニタ部８ａ１〜８ａ８と、このモニタ部８ａ１〜８ａ８に対応する比較モニタ画面６１ａ１〜６１ａ８を配置し、選択した静止画像を、選択前の複数の静止画像のほぼ中央の領域に表示する。
【００５５】
この実施の形態では、比較モニタ手段であるモニタ部８ａ１〜８ａ８と、このモニタ部８ａ１〜８ａ８に対応する比較モニタ画面６１ａ１〜６１ａ８にそれぞれ画像が１枚ずつ順に表示されるが、それぞれは分割される各領域に画像を表示するようにしてもよい。
【００５６】
図７乃至図９は写真撮影システムの他の実施の形態を示し、この実施の形態の写真撮影システム１は、図１乃至図６の実施の形態と同様に構成されるが、さらに選択後の静止画像を表示する複数の確認画面を有する確認モニタ手段である確認モニタ部８ｃを備える。
【００５７】
図７の実施の形態では、図２の実施の形態と同様に、比較モニタ手段であるモニタ部８ａ１，８ａ２に対応する比較モニタ画面６１ａ１，６１ａ２を有し、選択モニタ手段であるモニタ部８ｂに対応する選択モニタ画面６１ｂを有し、さらに比較モニタ画面６１ａ１，６１ａ２と選択モニタ画面６１ｂの上側位置に確認モニタ部８ｃの複数の確認画面６１ｃが配置され、選択後の静止画像が表示される。この実施の形態では、複数の確認画面６１ｃに選択後の静止画像が拡大して表示される。図４に示す確認ボタン６１ｊを操作すると、確認モニタ部８ｃの複数の確認画面６１ｃに選択後の静止画像が表示される。この実施の形態では、選択後の静止画像を表示する複数の確認画面を有することで、選んだ静止画像を確認画面に大きく表示したりでき、同じ静止画像を選んでしまったりするという間違いを防止することができ、選択時間の短縮となる。
【００５８】
図８の実施の形態では、図６の実施の形態と同様に、比較モニタ手段であるモニタ部８ａ１〜８ａ８に対応する比較モニタ画面６１ａ１〜６１ａ８を有するが、比較モニタ画面６１ａ１〜６１ａ８には４分割される各領域に画像を表示するようにしている。この比較モニタ画面６１ａ１〜６１ａ８による画像の表示は、４分割される各領域の上段の２領域に順に画像１〜画像２６を表示し、その後に各領域の下段の２領域に順に画像７〜画像３２を表示するようにしている。さらに比較モニタ画面６１ａ１の近傍に確認モニタ部８ｃの複数の確認画面６１ｃが配置され、選択後の静止画像が表示される。
【００５９】
図９の実施の形態では、図８の実施の形態と同様に構成されるが、比較モニタ画面６１ａ１〜６１ａ８による画像の表示は、４分割される各領域の選択モニタ画面６１ｂに近い内側から順に右回りで画像１〜画像１２を表示し、その後に各領域の外側に順に右回りで画像１３〜画像３２を表示するようにしている。さらに比較モニタ画面６１ａ１の近傍に確認モニタ部８ｃの複数の確認画面６１ｃが配置され、選択後の静止画像が表示される。
【００６０】
図１０及び図１１は写真撮影システムの他の実施の形態を示し、この実施の形態の写真撮影システム１は、図７乃至図９の実施の形態と同様に構成され、選択後の静止画像を表示する複数の確認画面を有する確認モニタ手段である確認モニタ部８ｃを備える。
【００６１】
図４に示す確認ボタン６１ｊを操作すると、確認モニタ部８ｃの複数の確認画面６１ｃ１〜６１ｃ４に選択後の静止画像が表示される。この実施の形態では、アイテムが無い確認画面６１ｃ１、時計の文字盤の確認画面６１ｃ２、絵皿の確認画面６１ｃ３、ハート型写真立ての確認画面６１ｃ４を有し、テンプレート画面及び／又は最終製品にはめ込んだ状態を示す製品画面が備えられ、最終製品の仕上りをユーザがイメージすることができる。また、選択が容易で、かつ最終製品との差も少なくなるので、ユーザからの苦情が減る。
【００６２】
図１１は、この実施の形態の写真撮影システムのフローチャートであり、モニタ操作画面６１において操作を開始し、ｎ＝１として比較モニタ画面６１ａ１，６１ａ２の画面の順番を先頭を１番目と決め（ステップｂ１）、それぞれファイル選択ボタン６１ｘ，６１ｙの操作して第ｎ画面の選択を行ない（ステップｂ２）、選択モニタ画面６１ｂに表示する。選択モニタ画面６１ｂに表示された選択画面の拡大表示（拡大表示の拡大、回転表示が可能）を行なう（ステップｂ３）。
【００６３】
選択モニタ画面６１ｂに表示された選択画面を注文する場合には（ステップｂ４）、確認ボタン６１ｊ、オーダボタン６１ｋの操作で、アイテムが無い確認画面６１ｃ１、時計の文字盤の確認画面６１ｃ２、絵皿の確認画面６１ｃ３、ハート型写真立ての確認画面６１ｃ４のいずれかを選択する（ステップｂ５）。
【００６４】
アイテムが無い確認画面６１ｃ１が選択されると（ステップｂ６）、確認画面６１ｃ１に選択後の静止画像が表示され、選択画面の予約画面を表示し（ステップｂ１０）、ステップｂ１１へ移行する。また、ステップｂ４において、選択モニタ画面６１ｂに表示された選択画面を注文しない場合もステップｂ１１へ移行する。
【００６５】
ステップｂ１１において、最終画面ならば終了し、最終画面でないならばステップｂ１２へ移行してステップｂ２へ戻り、ステップａ２から同様に最終画面まで繰り返して選択画面を注文する。
【００６６】
ステップｂ５において、時計の文字盤の確認画面６１ｃ２が選択されると（ステップｂ７）、確認画面６１ｃ２に選択後の静止画像が表示される（ステップｂ１３）。絵皿の確認画面６１ｃ３が選択されると（ステップｂ８）、確認画面６１ｃ３に選択後の静止画像が表示される（ステップｂ１４）。ハート型写真立ての確認画面６１ｃ４が選択されると（ステップｂ９）、確認画面６１ｃ４に選択後の静止画像が表示される（ステップｂ１５）。
【００６７】
時計の文字盤の確認画面６１ｃ２に選択後の静止画像が表示され（ステップｂ１３）、また絵皿の確認画面６１ｃ３に選択後の静止画像が表示され（ステップｂ１４）、またハート型写真立ての確認画面６１ｃ４に選択後の静止画像が表示され（ステップｂ１５）、これらの場合では選択画面の調整（回転・拡大・縮小・トリミング、色調など）を行ない（ステップｂ１６）、画面とサービス内容、調整内容を関連づけて記憶し（ステップｂ１７）、ステップｂ１１へ移行する。
【００６８】
ステップｂ１１において、最終画面ならば終了し、最終画面でないならばステップｂ１２へ移行してステップｂ２へ戻り、ステップａ２から同様に最終画面まで繰り返して選択画面を注文する。
【００６９】
図１２及び図１３は写真撮影システムの他の実施の形態を示し、この実施の形態の写真撮影システム１は、図７乃至図９の実施の形態と同様に構成され、選択後の静止画像を表示する複数の確認画面を有する確認モニタ手段である確認モニタ部８ｃを備える。
【００７０】
図４に示す確認ボタン６１ｊを操作すると、確認モニタ部８ｃに６枚屏風の確認画面６１ｃ５は複数の画面６１ｃ５１〜６１ｃ５７を有する。この実施の形態の６枚屏風は、それぞれの画面６１ｃ５１〜６１ｃ５７にめ込んだ状態を示す製品画面であり、最終製品の仕上りをユーザがイメージすることができる。また、選択が容易で、かつ最終製品との差も少なくなるので、ユーザからの苦情が減る。
【００７１】
図１３は、この実施の形態の写真撮影システムのフローチャートであり、モニタ操作画面６１において操作を開始し、この実施の形態では、ｎ＝１として比較モニタ画面６１ａ１，６１ａ２の画面の順番を先頭を１番目と決め（ステップｃ１）、それぞれファイル選択ボタン６１ｘ，６１ｙの操作して屏風の第ｎ画面の選択を行ない（ステップｃ２）、選択モニタ画面６１ｂに表示する（ステップｃ３）。選択モニタ画面６１ｂに表示された選択画面の調整（回転・拡大・縮小・トリミング、色調など）を行なう（ステップｃ４）。確認ボタン６１ｊの操作で選択モニタ画面６１ｂの画面と６枚屏風の確認画面６１ｃ５の屏風のｎ番と、調整内容を関連づけて記憶する（ステップｃ５）。
【００７２】
このステップｃ２〜ステップｃ５を６枚屏風の確認画面６１ｃ５が最終画面になるまで繰り返し（ステップｃ６，ｃ７）、最終画面になると、調整内容を選択する（ステップｃ８）。この調整内容の選択では、選択画面の入れ替え（未選択画面との入れ替え）（ステップｃ９）と、選択画面の範囲内での順番の入れ替えを行なう（ステップｃ１０）。そして、選択画面の調整（回転・拡大・縮小・トリミング、色調など）を行ない（ステップｃ１１）、画面と屏風のｎ番と、調整内容を関連づけて記憶する（ステップｃ１２）。
【００７３】
図４に示すオーダボタン６１ｋの操作で注文し（ステップｃ１３）、オーダボタン６１ｋを操作しないで、再調整ボタン６１ｌを操作すると（ステップｃ１４）、ステップｃ８へ移行して再調整を行なう。再調整ボタン６１ｌを操作しないで、キャンセルボタン６１ｍを操作すると、記憶内容を破棄して終了する（ステップｃ１５）。
【００７４】
図１４及び図１５は写真撮影システムの他の実施の形態を示し、この実施の形態の写真撮影システム１は、選択後の確認画面が最終製品にはめ込んだ状態を示す。この実施の形態では、最終製品がアルバム注文装置７０である。このアルバム注文装置７０は、図１４に示すように、アルバム本体７１と表紙体７２が開閉可能である。
【００７５】
アルバム本体７１には、ｕｐ／ｄｏｗｎボタン７１ａ、セレクトボタン７１ｂ、ページ送りボタン７１ｃ及びユーザ認証部７１ｄが設けられている。このユーザ認証部７１ｄに指紋の入力、あるいはＩＤカード等を挿入し、他人に写真画像を見られることを阻止できる。表紙体７２には、ｕｐ／ｄｏｗｎボタン７２ａ、セレクトボタン７２ｂ、ページ送りボタン７２ｃ、注文ボタン７２ｄ、注文キャンセルボタン７２ｅが設けられている。
【００７６】
この実施の形態のアルバム注文装置７０ｄでは、確認モニタ部８ｃに対応する確認画面６１ｃ６を有し、この確認画面６１ｃ６の画面６１ｃ６１〜６１ｃ６４が、表紙体７２の表側及び裏側、さらにアルバム本体７１の表側及び裏側に順に表示される画面である。この画面６１ｃ６１〜６１ｃ６４は、ページ数表示部７１ｆ，７２ｆを有し、ｕｐ／ｄｏｗｎボタン７１ａ，７２ａで画像またはテンプレート切換を行ない、セレクトボタン７１ｂ，７２ｂで決定する。これにより、４ページを超えるアルバムでも、このｕｐ／ｄｏｗｎボタン７１ａ，７２ａの利用でこのアルバム注文装置７０により表示することができる。
【００７７】
確認モニタ部８ｃはアルバム注文装置７０の複数の画面６１ｃ６１〜６１ｃ６４にめ込んだ状態を示し、最終製品の仕上りをユーザがイメージすることができる。また、選択が容易で、かつ最終製品との差も少なくなるので、ユーザからの苦情が減る。
【００７８】
図１５は、この実施の形態の写真撮影システムのフローチャートであり、モニタ操作画面６１において操作を開始し、この実施の形態では、ｎ＝１として比較モニタ画面６１ａ１，６１ａ２の画面の順番を先頭を１番目のアルバム表紙と決め（ステップｄ１）、それぞれファイル選択ボタン６１ｘ，６１ｙの操作してアルバム注文装置７０の第ｎ画面の選択を行ない（ステップｄ２）、選択モニタ画面６１ｂに表示する（ステップｄ３）。選択モニタ画面６１ｂに表示された選択画面の調整（回転・拡大・縮小・トリミング、色調など）を行なう（ステップｄ４）。確認ボタン６１ｊの操作で選択モニタ画面６１ｂの画面とアルバム注文装置７０の確認画面６１ｃ５のｎ番と、調整内容を関連づけて記憶する（ステップｄ５）。
【００７９】
このステップｄ２〜ステップｄ５をアルバム注文装置７０の確認画面６１ｃ５が最終画面になるまで、アルバム本文の初めのページから最後のページ（ｎ＝ｍ）になるまで繰り返し（ステップｄ６，ｄ７）、最終画面のアルバム裏表紙になると、調整内容を選択する（ステップｄ８）。この調整内容の選択では、選択画面の入れ替え（未選択画面との入れ替え）（ステップｄ９）と、選択画面の範囲内での順番の入れ替えを行なう（ステップｄ１０）。そして、選択画面の調整（回転・拡大・縮小・トリミング、色調など）を行ない（ステップｄ１１）、画面とアルバム注文装置７０のｎ番と、調整内容を関連づけて記憶する（ステップｄ１２）。
【００８０】
図４に示すオーダボタン６１ｋの操作で注文し（ステップｄ１３）、オーダボタン６１ｋを操作しないで、再調整ボタン６１ｌを操作すると（ステップｄ１４）、ステップｃ８へ移行して再調整を行なう。再調整ボタン６１ｌを操作しないで、キャンセルボタン６１ｍを操作すると、記憶内容を破棄して終了する（ステップｄ１５）。
【００８１】
図１６及び図１７は写真撮影システムの他の実施の形態を示し、この実施の形態の写真撮影システム１は、選択後の確認画面が最終製品にはめ込んだ状態を示す。この実施の形態では、最終製品が時計注文装置７５である。この時計注文装置７５は、図１６に示すように、時計本体７６にｕｐ／ｄｏｗｎボタン７６ａ、セレクトボタン７６ｂ、注文ボタン７６ｃ、注文キャンセルボタン７６ｄ及びユーザ認証部７６ｅが設けられている。このユーザ認証部７６ｅに指紋の入力、あるいはＩＤカード等を挿入し、他人に写真画像を見られることを阻止できる。
【００８２】
この実施の形態の時計注文装置７５は、確認モニタ部８ｃに対応する確認画面６１ｄを有し、ｕｐ／ｄｏｗｎボタン７６ａで画像またはテンプレート切換を行ない、セレクトボタン７６ｂで決定する。
【００８３】
確認モニタ部８ｃは時計注文装置７５の確認画面６１ｄ１にはめ込んだ状態を示し、最終製品の仕上りをユーザがイメージすることができる。また、選択が容易で、かつ最終製品との差も少なくなるので、ユーザからの苦情が減る。
【００８４】
図１７は、この実施の形態の写真撮影システムのフローチャートであり、モニタ操作画面６１において操作を開始し、この実施の形態では、それぞれファイル選択ボタン６１ｘ，６１ｙの操作して時計注文装置７５の第ｎ画面の選択を行ない、選択モニタ画面６１ｂに表示する（ステップｅ１）。選択モニタ画面６１ｂに表示された選択画面の調整（回転・拡大・縮小・トリミング、色調など）を行なう（ステップｅ２）。確認ボタン６１ｊの操作で選択モニタ画面６１ｂの画面と時計注文装置７５の確認画面６１ｄ１と、調整内容を関連づけて記憶する（ステップｅ３）。
【００８５】
図４に示すオーダボタン６１ｋの操作で注文し（ステップｅ４）、オーダボタン６１ｋを操作しないで、再調整ボタン６１ｌを操作すると（ステップｅ５）、ステップｅ１へ移行して再調整を行なう。再調整ボタン６１ｌを操作しないで、キャンセルボタン６１ｍを操作すると、記憶内容を破棄して終了する（ステップｅ６）。
【００８６】
図１４に示すアルバム注文装置７０及び図１６に示す時計注文装置７５は、図１８及び図１９に示すように、受注装置７７として用いることが可能である。アルバム注文装置７０または時計注文装置７５の受注装置に、指紋、ＩＣカード、キーボード入力等でユーザー情報を入力すると、画像サーバ７８にインターネット７９等のネットワークを介してユーザ照会が行なわれ、回答を受け取る。
【００８７】
ユーザが認証されると、受注装置７７からｕｐ／ｄｏｗｎボタン、セレクトボタンの操作で画面リクエストを行ない、画面送信を受けて必要回繰り返し、ユーザが認証されないと動作を停止する。
【００８８】
注文が決定すると、注文ボタン７２ｄ，７６ｃを操作して注文情報を画像サーバ７８へ送り、注文キャンセルなら注文キャンセルボタン７２ｅ，７６ｄを操作してユーザ情報、画面関連情報を削除して終了し、動作を停止する。
【００８９】
画像サーバ７８は、注文情報を受け取ると、注文情報のユーザ情報、画面関連情報、画面情報の確認を行ない、注文確認信号を受注装置７７へ送る。受注装置７７では、注文確認表示を行ない、その後、ユーザ情報、画面関連情報、画面情報を削除して終了し、動作を停止する。
【００９０】
図２０乃至図２２は写真撮影システムの他の実施の形態を示し、この実施の形態の写真撮影システム１は、再生手段により読み出された複数の静止画像を表示する確認モニタ手段を有し、この確認モニタ手段は、６連屏風型の確認モニタ部８ｃで表示方向を単数方向と複数方向とに表示画面を変更可能に構成される。図２０では、６連屏風型の確認モニタ部８ｃの６面全てを使い表示し、滞留時間をのばし、多数の画像をユーザに見せることができる。また、図２１では、６連屏風型の確認モニタ部８ｃで表示方向を複数方向に表示画面を変更し、１人のユーザに対して２面表示する。また、確認モニタ部８ｃは、６連屏風型に限らず、図２２に示すように、９連屏風型等でも良い。
【００９１】
この実施の形態では、選択後の確認画面を、単数のユーザと複数のユーザの方向に表示を変更することで、ユーザの回転率の変化に対応でき、ユーザからの注文増加に貢献できて収益が向上する。また、ユーザが操作装置６によって自分で操作できるので選択効率が向上し、ユーザの回転率の向上、滞留時間減少となり、特に繁忙期に有効である。
【００９２】
図２３は写真撮影システムの他の実施の形態を示し、この実施の形態の写真撮影システム１は、再生手段により読み出された複数の静止画像を表示する確認モニタ手段を有し、この確認モニタ手段は、液晶ディスプレイ９０の確認モニタ部８ｃで単数方向と複数方向との表示画面の変更は、画面の視野角調整で行う構成である。液晶ディスプレイ９０の確認モニタ部８ｃは、画面８ｃ３１，８ｃ３２の視野角調整によりユーザＡは、画面８ｃ３１の画像を見ることができるが、画面８ｃ３２の画像は見えない。一方、ユーザＢは、画面８ｃ３２の画像を見ることができるが、画面８ｃ３１の画像は見えない。
【００９３】
液晶ディスプレイ９０は、周知のものが用いられ、２枚の液晶を重ね合わせ、それを制御することで画面の視野角調整し、コンパクトで取扱が容易である。あるいは、ＴＦＴ液晶ディスプレイに光学視差バリアを搭載することで、液晶ディスプレイ９０が１枚でも画面の視野角調整することができる。
【００９４】
なお、画面の操作手順は、ここで記述したものに限定されず、ユーザが画像を選択しやすいよう適宜順番を変更して実施してよいものとする。また、複数の手順、表示装置、注文装置を組み合わせて実施してよいものとする。
【００９５】
【発明の効果】
前記したように、請求項１に記載の発明では、選択した静止画像を、選択前の複数の静止画像の例えば片側では離れた画像同士を比較することになり、比較が困難となる場合があるが、ほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００９６】
請求項２に記載の発明では、選択後の静止画像を表示する確認画面を有することで、選んだ静止画像を確認画面に大きく表示したりでき、同じ静止画像を選んでしまったりするという間違いを防止することができ、選択時間の短縮となる。
【００９７】
請求項３に記載の発明では、選択後の静止画像を表示する確認画面を有することで、選んだ静止画像を確認画面に大きく表示したりでき、同じ静止画像を選んでしまったりするという間違いを防止することができ、選択時間の短縮となる。
【００９８】
また、選択した静止画像を、選択前の複数の静止画像の例えば片側では離れた画像同士を比較することになり、比較が困難となる場合があるが、ほぼ中央の領域に表示することで、選択した静止画像が選択されなかった静止画像のどれとも近い位置にあり比較し易いために、写り具合のよい写真の判断を、迅速に、しかも簡単かつ容易に行なうことができる。
【００９９】
請求項４に記載の発明では、選択後の確認画面が、テンプレート画面及び／又は最終製品にはめ込んだ状態を示す製品画面であり、最終製品の仕上りをユーザがイメージすることができる。また、選択が容易で、かつ最終製品との差も少なくなるので、ユーザからの苦情が減る。
【０１００】
請求項５に記載の発明では、選択後の確認画面を、単数のユーザと複数のユーザの方向に表示を変更することで、ユーザの回転率の変化に対応でき、ユーザからの注文増加に貢献できて収益が向上する。また、ユーザが自分で操作できるので選択効率が向上し、ユーザの回転率の向上、滞留時間減少となり、特に繁忙期に有効である。
【０１０１】
請求項６に記載の発明では、単数方向と複数方向との表示変更は、確認画面の角度変化で行うことで、簡単な構造である。
【０１０２】
請求項７に記載の発明では、単数方向と複数方向との表示変更は、比較画面の視野角調整で行うことで、コンパクトで取扱が容易である。
【図面の簡単な説明】
【図１】写真撮影システムの概略構成図である。
【図２】モニタ画像表示を示す図である。
【図３】操作専用画面を示す図である。
【図４】モニタ操作画面を示す図である。
【図５】写真撮影システムのフローチャートである。
【図６】モニタ画像表示を示す図である。
【図７】モニタ画像及び確認画面を示す図である。
【図８】モニタ画像及び確認画面の他の実施の形態を示す図である。
【図９】モニタ画像及び確認画面の他の実施の形態を示す図である。
【図１０】モニタ画像及び確認画面の他の実施の形態を示す図である。
【図１１】写真撮影システムのフローチャートである。
【図１２】モニタ画像及び確認画面の他の実施の形態を示す図である。
【図１３】写真撮影システムの屏風を選択ずる場合のフローチャートである。
【図１４】最終製品がアルバム注文装置である実施の形態を示す図である。
【図１５】写真撮影システムのアルバム注文装置を選択ずる場合のフローチャートである。
【図１６】最終製品が時計注文装置である実施の形態を示す図である。
【図１７】写真撮影システムの時計注文装置を選択ずる場合のフローチャートである。
【図１８】アルバム注文装置及び時計注文装置を発注装置として用いる実施の形態を示す図である。
【図１９】アルバム注文装置及び時計注文装置を発注装置として用いる実施の形態のフローチャートである。
【図２０】屏風型の確認モニタ部の実施の形態を示す図である。
【図２１】屏風型の確認モニタ部の実施の形態を示す図である。
【図２２】屏風型の確認モニタ部の実施の形態を示す図である。
【図２３】液晶ディスプレイの確認モニタ部の実施の形態を示す図である。
【符号の説明】
１  写真撮影システム
２  主カメラ
３  補助カメラ
４  被写体
５  制御装置
６  操作装置
７，８  モニタ装置
８ａ１，８ａ２，８ｃ  モニタ部
１０  セレクタスイッチ
６０  操作基本画面
６１  モニタ操作画面
６１ａ１〜６１ａ８  比較モニタ画面
６１ｂ  選択モニタ画面
６１ｃ  確認画面
７０  アルバム注文装置
７５  時計注文装置
【図１】
2005043542.tif 000003
【図２】
2005043542.tif 000004
【図３】
2005043542.tif 000005
【図４】
2005043542.tif 000006
【図５】
2005043542.tif 000007
【図６】
2005043542.tif 000008
【図７】
2005043542.tif 000009
【図８】
2005043542.tif 000010
【図９】
2005043542.tif 000011
【図１０】
2005043542.tif 000012
【図１１】
2005043542.tif 000013
【図１２】
2005043542.tif 000014
【図１３】
2005043542.tif 000015
【図１４】
2005043542.tif 000016
【図１５】
2005043542.tif 000017
【図１６】
2005043542.tif 000018
【図１７】
2005043542.tif 000019
【図１８】
2005043542.tif 000020
【図１９】
2005043542.tif 000021
【図２０】
2005043542.tif 000022
【図２１】
2005043542.tif 000023
【図２２】
2005043542.tif 000024
【図２３】
2005043542.tif 000025